(57)【要約】【課題】脱線した鉄道車両を好適に復線させることができる鉄道車両復線装置を実現する。【解決手段】鉄道車両復線装置１００は、同じ勾配を有する軌間外側スロープ板１０と軌間内側スロープ板２０を備えているため、脱線した鉄道車両Ｔの車輪ＷをレールＲ上に押し上げるように、その鉄道車両Ｔが軌間外側スロープ板１０及び軌間内側スロープ板２０の上を昇る方向に走行する際、ヨーイングすることなくスムーズに走行できるので、その鉄道車両Ｔを好適にレールＲに復線させることができる。【選択図】図１
2019173420.tif 000002
【特許請求の範囲】
【請求項１】
道床に設けられたレール対の上を走行する鉄道車両が前記レール対から脱線した場合に、その鉄道車両を前記レール対に復線させる鉄道車両復線装置であって、
前記レール対における各レールの外側に配設されており、上面が前記鉄道車両の進行方向に向かって徐々に高くなるように形成された軌間外側スロープ板と、
前記レール対における各レールの内側に配設されており、上面が前記鉄道車両の進行方向に向かって徐々に高くなるように形成された軌間内側スロープ板と、
前記軌間外側スロープ板の上端部の高さを維持するように、その上端側から延在して前記レールに沿って配設されている軌間外側踏面板と、
前記軌間内側スロープ板の上端部の高さを維持するように、その上端側から延在して前記レールに沿って配設されている軌間内側踏面板と、
少なくとも前記軌間内側踏面板の上面に配設されており、前記鉄道車両が前記軌間内側踏面板の上面を走行する場合に、前記鉄道車両の車輪の内側の側面に当接することによってその車輪を前記レール上に誘導する誘導部材と、
を備え、
前記軌間外側スロープ板と前記軌間内側スロープ板は同じ勾配を有するとともに、それぞれの上端部は前記鉄道車両の進行方向において同じ位置にあり、
前記軌間外側スロープ板の上端部の高さが前記レールの上面の高さであるとき、前記軌間内側スロープ板の上端部の高さが前記軌間外側スロープ板の上端部の高さよりも低くなるように、前記軌間外側スロープ板よりも前記軌間内側スロープ板の方が前記レールに沿う方向の長さが短く形成されていることを特徴とする鉄道車両復線装置。
【請求項２】
前記軌間内側スロープ板の上端部の高さは、前記軌間外側スロープ板の上端部の高さよりも、前記車輪のフランジ高さ分低いことを特徴とする請求項１に記載の鉄道車両復線装置。
【請求項３】
前記誘導部材は、前記軌間内側スロープ板から前記軌間内側踏面板に亘って漸次前記レールに近接するように設けられていることを特徴とする請求項１又は２に記載の鉄道車両復線装置。
【請求項４】
前記軌間外側スロープ板及び前記軌間内側スロープ板及び前記誘導部材における所定の高さ未満の部分は鋼材を用いて形成されており、所定の高さ以上の部分はコンクリートを用いて形成されていることを特徴とする請求項１〜３のいずれか一項に記載の鉄道車両復線装置。
【請求項５】
前記誘導部材は、樹脂層を介して前記道床に固定されていることを特徴とする請求項１〜４のいずれか一項に記載の鉄道車両復線装置。
【発明の詳細な説明】
【技術分野】
【０００１】
本発明は、脱線した鉄道車両を復線させる鉄道車両復線装置に関する。
【背景技術】
【０００２】
従来、地震の発生などによって脱線した鉄道車両を復線させる軌道構造が知られている（例えば、特許文献１参照。）。
この軌道構造は、レール対の内外であって、各レールの左右両側にスロープ板とガイド部材とを備えている。
そして、鉄道車両がレール上から左右どちらかの側に脱線してその勢いのまま走行する場合に、レール対の内外のスロープ板が道床と車輪との間に介在して鉄道車両をその上面で走行させつつ、車輪の踏面や下端面をレールの頂面以上の高さに押し上げるとともに、ガイド部材が車輪の側面に当接することによってその車輪をレール上に案内するようにして復線させるようになっている。
【先行技術文献】
【特許文献】
【０００３】
【特許文献１】特開２００６−１７６９８２号公報
【発明の概要】
【発明が解決しようとする課題】
【０００４】
しかしながら、上記特許文献１の軌道構造においてレール対の内外のスロープ板の勾配が異なる場合には、復線するようスロープ板上を走行する鉄道車両がヨーイングしてしまうことがあり、その鉄道車両の走行安定性が悪化することがあるという問題があった。
そこで、本発明者らが鋭意検討して、脱線した鉄道車両をスムーズに復線させるための技術を開発するに至った。
【０００５】
本発明の目的は、脱線した鉄道車両を好適に復線させることができる鉄道車両復線装置を提供することである。
【課題を解決するための手段】
【０００６】
上記目的を達成するため、この発明は、
道床に設けられたレール対の上を走行する鉄道車両が前記レール対から脱線した場合に、その鉄道車両を前記レール対に復線させる鉄道車両復線装置であって、
前記レール対における各レールの外側に配設されており、上面が前記鉄道車両の進行方向に向かって徐々に高くなるように形成された軌間外側スロープ板と、
前記レール対における各レールの内側に配設されており、上面が前記鉄道車両の進行方向に向かって徐々に高くなるように形成された軌間内側スロープ板と、
前記軌間外側スロープ板の上端部の高さを維持するように、その上端側から延在して前記レールに沿って配設されている軌間外側踏面板と、
前記軌間内側スロープ板の上端部の高さを維持するように、その上端側から延在して前記レールに沿って配設されている軌間内側踏面板と、
少なくとも前記軌間内側踏面板の上面に配設されており、前記鉄道車両が前記軌間内側踏面板の上面を走行する場合に、前記鉄道車両の車輪の内側の側面に当接することによってその車輪を前記レール上に誘導する誘導部材と、
を備え、
前記軌間外側スロープ板と前記軌間内側スロープ板は同じ勾配を有するとともに、それぞれの上端部は前記鉄道車両の進行方向において同じ位置にあり、
前記軌間外側スロープ板の上端部の高さが前記レールの上面の高さであるとき、前記軌間内側スロープ板の上端部の高さが前記軌間外側スロープ板の上端部の高さよりも低くなるように、前記軌間外側スロープ板よりも前記軌間内側スロープ板の方が前記レールに沿う方向の長さが短く形成されているようにした。
【０００７】
かかる構成の鉄道車両復線装置は、同じ勾配を有する軌間外側スロープ板と軌間内側スロープ板を備えているため、脱線した鉄道車両の車輪をレール上に押し上げるように、鉄道車両が軌間外側スロープ板及び軌間内側スロープ板の上を昇る方向に走行する際、ヨーイングすることなくスムーズに走行できるので、その鉄道車両を好適にレールに復線させることができる。
【０００８】
また、望ましくは、
前記軌間内側スロープ板の上端部の高さは、前記軌間外側スロープ板の上端部の高さよりも、前記車輪のフランジ高さ分低いようにする。
【０００９】
こうすることで、軌間外側スロープ板に連続する軌間外側踏面板の上面の高さを、レールの上面と同じ高さにでき、軌間内側スロープ板に連続する軌間内側踏面板の上面の高さを、レールの上面よりも車輪のフランジ高さ分低くすることができるので、鉄道車両の一方の車輪が軌間外側踏面板からレールにスムーズに移り、鉄道車両の他方の車輪が軌間内側踏面板からレールにスムーズに移るように、良好に復線させることができる。
【００１０】
また、望ましくは、
前記誘導部材は、前記軌間内側スロープ板から前記軌間内側踏面板に亘って漸次前記レールに近接するように設けられているようにする。
【００１１】
こうすることで、軌間内側スロープ板上を走行する鉄道車両の車輪に当接した誘導部材によって、その車輪をレールに徐々に寄せていき、軌間内側踏面板上を走行する鉄道車両の車輪に誘導部材が当接することによって、その車輪をレール上に誘導することができる。
【００１２】
また、望ましくは、
前記軌間外側スロープ板及び前記軌間内側スロープ板及び前記誘導部材における所定の高さ未満の部分は鋼材を用いて形成されており、所定の高さ以上の部分はコンクリートを用いて形成されているようにする。
【００１３】
軌間外側スロープ板や軌間内側スロープ板や誘導部材における厚みが薄い部分を鋼材で形成することで、その部分の強度を好適に確保することができる。
【００１４】
また、望ましくは、
前記誘導部材は、樹脂層を介して前記道床に固定されているようにする。
【００１５】
誘導部材が、接着性を有する樹脂層を介して道床に固定されていれば、誘導部材はその誘導部材に車輪が当接したことによる横方向への反力に抗しやすくなる。
【発明の効果】
【００１６】
本発明によれば、脱線した鉄道車両を好適に復線させることができる。
【図面の簡単な説明】
【００１７】
【図１】本実施形態の鉄道車両復線装置を示す斜視図である。
【図２】本実施形態の鉄道車両復線装置を示す上面図である。
【図３】図２のIII−III線における断面図である。
【図４】図２のIV−IV線における断面図である。
【図５】図２のV−V線における断面図である。
【図６】図２のVI−VI線における断面図である。
【発明を実施するための形態】
【００１８】
以下、図面を参照して、本発明に係る鉄道車両復線装置の実施形態について詳細に説明する。但し、以下に述べる実施形態には、本発明を実施するために技術的に好ましい種々の限定が付されているが、本発明の範囲を以下の実施形態及び図示例に限定するものではない。
鉄道車両復線装置１００は、道床Ｆに設けられたレール対（一対のレールＲ）上を走行する鉄道車両Ｔがレール対から脱線した場合に、その鉄道車両Ｔをレール対に復線させるための装置である。
【００１９】
本実施形態の鉄道車両復線装置１００は、例えば、図１、図２、図３〜図６に示すように、レール対における各レールＲの外側に配設されており、上面が鉄道車両Ｔの進行方向の前方から後方へ向かって徐々に高くなるように形成され、脱線した鉄道車両Ｔの車輪Ｗをレール対の一方のレール高さまで押し上げ可能な軌間外側スロープ板１０と、レール対における各レールＲの内側に配設されており、上面が鉄道車両Ｔの進行方向の前方から後方へ向かって徐々に高くなるように形成され、脱線した鉄道車両Ｔの車輪Ｗをレール対の他方のレール高さまで押し上げ可能な軌間内側スロープ板２０と、軌間外側スロープ板１０の上端部１０ａの高さを維持するように、その上端側から延在してレールＲに沿って配設されている軌間外側踏面板３０と、軌間内側スロープ板２０の上端部２０ａの高さを維持するように、その上端側から延在してレールＲに沿って配設されている軌間内側踏面板４０と、少なくとも軌間内側踏面板４０の上面に配設されており、鉄道車両Ｔが軌間内側踏面板４０の上面を走行する場合に、鉄道車両Ｔの車輪Ｗの内側の側面に当接することによってその車輪ＷをレールＲ上に誘導する誘導部材５０等を備えている。
なお、図１及び図２の図中、鉄道車両Ｔの進行方向を矢印で示している。
また、図中、道床Ｆ上の枕木や、その枕木にレールＲを固定する締結器等の図示は省略している。
また、本実施形態での道床Ｆは、軌道スラブであるものとする。
【００２０】
軌間外側スロープ板１０は、その上面が傾斜面に形成されている長尺な板状部材であり、レールＲの外側に沿って配設されている。
軌間外側スロープ板１０は、ボルトを用いて道床Ｆに固定されており、鉄道車両Ｔの進行方向に昇り傾斜となる向きに設置されている。
この軌間外側スロープ板１０は、鉄道車両Ｔがレール対から脱線して走行する場合に、道床Ｆと鉄道車両Ｔの車輪Ｗとの間に介在して鉄道車両Ｔをその上面で走行させつつ、車輪Ｗをレール対の一方のレールＲの高さまで押し上げる機能を有している。
【００２１】
この軌間外側スロープ板１０における所定の高さ未満の部分は鋼材を用いて形成されており、所定の高さ以上の部分はコンクリートを用いて形成されている。本実施形態では、高さ９５ｍｍ未満の部分は鋼材、高さ９５ｍｍ以上の部分はダクタルコンクリートを用いて形成されている。
軌間外側スロープ板１０の厚みが薄い部分を鋼材で形成することで、鉄道車両Ｔが走行するための強度を好適に確保することができる。
【００２２】
軌間内側スロープ板２０は、その上面が傾斜面に形成されている長尺な板状部材であり、レールＲの内側に沿って配設されている。
軌間内側スロープ板２０は、ボルトを用いて道床Ｆに固定されており、鉄道車両Ｔの進行方向に昇り傾斜となる向きに設置されている。
また、軌間内側スロープ板２０と道床Ｆの間には、接着性を有する樹脂層６０が設けられている。
この軌間内側スロープ板２０は、鉄道車両Ｔがレール対から脱線して走行する場合に、道床Ｆと鉄道車両Ｔの車輪Ｗとの間に介在して鉄道車両Ｔをその上面で走行させつつ、車輪Ｗをレール対の他方のレールＲの高さまで押し上げる機能を有している。
【００２３】
この軌間内側スロープ板２０における所定の高さ未満の部分は鋼材を用いて形成されており、所定の高さ以上の部分はコンクリートを用いて形成されている。本実施形態では、高さ９５ｍｍ未満の部分は鋼材、高さ９５ｍｍ以上の部分はダクタルコンクリートを用いて形成されている。
軌間内側スロープ板２０の厚みが薄い部分を鋼材で形成することで、鉄道車両Ｔが走行するための強度を好適に確保することができる。
【００２４】
そして、この鉄道車両復線装置１００における軌間外側スロープ板１０と軌間内側スロープ板２０は、同じ勾配（傾斜角度）を有している。
また、軌間外側スロープ板１０と軌間内側スロープ板２０のそれぞれの上端部１０ａ，２０ａはレールＲを挟んで並ぶ位置にある。換言すれば、軌間外側スロープ板１０と軌間内側スロープ板２０のそれぞれの上端部１０ａ，２０ａは鉄道車両Ｔの進行方向において同じ位置にある。
特に、軌間外側スロープ板１０の上端部１０ａの高さがレールＲの上面の高さであるとき、軌間内側スロープ板２０の上端部２０ａの高さが軌間外側スロープ板１０の上端部１０ａの高さよりも低くなるようにするため、軌間外側スロープ板１０よりも軌間内側スロープ板２０の方がレールＲに沿う方向の長さが短く形成されている。
換言すれば、同じ勾配を有し、上端部１０ａ，２０ａの高さが異なる軌間外側スロープ板１０と軌間内側スロープ板２０を、その上端部１０ａ，２０ａを並べて配置するため、軌間外側スロープ板１０の下端部１０ｂよりも軌間内側スロープ板２０の下端部２０ｂの方が、鉄道車両Ｔの進行方向の後方に位置するように設置されている。
具体的に、軌間内側スロープ板２０の上端部２０ａの高さは、軌間外側スロープ板１０の上端部１０ａの高さよりも、車輪Ｗのフランジ高さ分（例えば、２５ｍｍ）低く設計されている。
【００２５】
軌間外側踏面板３０は、軌間外側スロープ板１０の上端部１０ａの高さを有する長尺な平板状部材であり、レールＲの外側に沿って配設されている。
この軌間外側踏面板３０は、コンクリート（ダクタルコンクリート）を用いて形成されており、ボルトを用いて道床Ｆに固定されている。
【００２６】
軌間内側踏面板４０は、軌間内側スロープ板２０の上端部２０ａの高さを有する長尺な平板状部材であり、レールＲの内側に沿って配設されている。
この軌間内側踏面板４０は、コンクリート（ダクタルコンクリート）を用いて形成されており、ボルトを用いて道床Ｆに固定されている。
また、軌間内側踏面板４０と道床Ｆの間には、接着性を有する樹脂層６０が設けられている。
【００２７】
誘導部材５０は、軌間内側スロープ板２０から軌間内側踏面板４０に亘って漸次レールＲの内側に近接するように設けられている。
なお、誘導部材５０の始端側と終端側は道床Ｆ上に設けられている。
そして、誘導部材５０は、その始端側から徐々に軌間内側スロープ板２０の上に載りかかり、軌間内側スロープ板２０の途中から軌間内側踏面板４０にかけては、誘導部材５０全体がその上に載りかかった態様になっている。
この誘導部材５０は、ボルトを用いて道床Ｆに固定されている。
また、誘導部材５０と道床Ｆの間には、接着性を有する樹脂層６０が設けられている。
【００２８】
この誘導部材５０における所定の高さ未満の部分は鋼材を用いて形成されており、所定の高さ以上の部分はコンクリートを用いて形成されている。本実施形態では、高さ９５ｍｍ未満の部分は鋼材、高さ９５ｍｍ以上の部分はダクタルコンクリートを用いて形成されている。
誘導部材５０の厚みが薄い部分を鋼材で形成することで、鉄道車両Ｔの車輪Ｗと接触して誘導するための強度を好適に確保することができる。
また、誘導部材５０と軌間内側スロープ板２０が重なっている部分（誘導部材５０が軌間内側スロープ板２０に載りかかっている部分）であって、高さ９５ｍｍ以上の部分はダクタルコンクリートを用いて誘導部材５０と軌間内側スロープ板２０とが一体形成されている。
また、誘導部材５０と軌間内側踏面板４０が重なっている部分はダクタルコンクリートを用いて誘導部材５０と軌間内側踏面板４０とが一体形成されている。
つまり、この誘導部材５０（軌間内側スロープ板２０と一体の誘導部材５０、軌間内側踏面板４０と一体の誘導部材５０）は、樹脂層６０を介して道床Ｆに固定されている。
【００２９】
次に、本実施形態の鉄道車両復線装置１００が、レールＲ（レール対）から脱線した鉄道車両ＴをそのレールＲに復線させる作用について説明する。
図３は、レールＲから進行方向の右側に脱線した鉄道車両Ｔを部分的に示す説明図であり、その鉄道車両Ｔの車輪ＷとレールＲとの位置関係を示している。
【００３０】
図３に示すように、レールＲ上から脱線した鉄道車両Ｔがその勢いのままに道床Ｆ上を走行すると、図４に示すように、進行方向の右側の車輪Ｗが軌間外側スロープ板１０に載り、進行方向の左側の車輪Ｗが軌間内側スロープ板２０に載って、そのスロープ板上を鉄道車両Ｔが走行する。
このとき、軌間外側スロープ板１０と軌間内側スロープ板２０は同じ勾配を有しているので、鉄道車両Ｔはそのスロープ板上をスムーズに走行するようになっており、従来技術のようにヨーイングしてしまうことはない。
こうして鉄道車両Ｔがスロープ板（軌間外側スロープ板１０、軌間内側スロープ板２０）上を昇るように走行することに伴い、鉄道車両Ｔの車輪Ｗが徐々にレールＲ上に押し上げられている。
【００３１】
鉄道車両Ｔの車輪Ｗが軌間外側スロープ板１０と軌間内側スロープ板２０に載った状態で、その鉄道車両Ｔが走行を続けると、図５に示すように、進行方向の左側の車輪Ｗの内側の側面に誘導部材５０が当接することによって、その車輪Ｗを進行方向の左側のレールＲに寄せるように案内する。
また、進行方向の左側の車輪Ｗが左側のレールＲに寄せられたことに伴い、進行方向の右側の車輪Ｗが右側のレールＲに寄せられる。
ここで、軌間内側スロープ板２０と道床Ｆの間には接着性を有する樹脂層６０が設けられており、軌間内側スロープ板２０と一体の誘導部材５０は、樹脂層６０を介して道床Ｆに固定されているので、誘導部材５０が車輪Ｗに当接したことによる横方向への反力に抗しやすくなっている。
なお、図５に図示した領域ではないが、誘導部材５０と道床Ｆの間には接着性を有する樹脂層６０が設けられている。
【００３２】
鉄道車両Ｔが更に走行を続け、図６に示すように、進行方向の右側の車輪Ｗが軌間外側踏面板３０に載り、進行方向の左側の車輪Ｗが軌間内側踏面板４０に載って、その鉄道車両Ｔが走行すると、進行方向の左側の車輪Ｗの内側の側面に当接している誘導部材５０が、その車輪Ｗを進行方向の左側のレールＲ上に誘導する。
また、進行方向の左側の車輪Ｗが左側のレールＲ上に誘導されたことに伴い、進行方向の右側の車輪Ｗが右側のレールＲ上に誘導される。
ここで、軌間内側踏面板４０と道床Ｆの間には接着性を有する樹脂層６０が設けられており、軌間内側踏面板４０と一体の誘導部材５０は、樹脂層６０を介して道床Ｆに固定されているので、誘導部材５０が車輪Ｗに当接したことによる横方向への反力に抗しやすくなっている。
【００３３】
このとき、軌間外側踏面板３０の上面は、レールＲの上面と同じ高さであるので、進行方向の右側の車輪Ｗは、軌間外側踏面板３０からレールＲにスムーズに移ることができる。
また、軌間内側踏面板４０の上面は、レールＲの上面よりも車輪Ｗのフランジ高さ分低いので、進行方向の左の車輪Ｗは、軌間内側踏面板４０からレールＲにスムーズに移ることができる。
こうして進行方向の右側の車輪Ｗを右側のレールＲ上に載せ、進行方向の左側の車輪Ｗを左側のレールＲ上に載せたことで、脱線した鉄道車両ＴのレールＲ（レール対）への復線が完了する。
【００３４】
このように、本実施形態の鉄道車両復線装置１００であれば、同じ勾配を有する軌間外側スロープ板１０と軌間内側スロープ板２０を備えているため、脱線した鉄道車両Ｔの車輪ＷをレールＲ上に押し上げるように、その鉄道車両Ｔが軌間外側スロープ板１０及び軌間内側スロープ板２０の上を昇る方向に走行する際、ヨーイングすることなくスムーズに走行できるので、その鉄道車両Ｔを好適にレールＲに復線させることができる。
【００３５】
このような鉄道車両復線装置１００を所定の設備の手前、例えば、トンネルの手前、鉄橋の手前、踏切の手前、駅ホームの手前、分岐器の手前など、脱線した鉄道車両Ｔが衝突した場合に被害が大きくなる可能性のある設備の手前に設置しておけば、地震の発生などによって鉄道車両Ｔが脱線した場合に、その鉄道車両Ｔを速やかに復線させることができ、その設備に鉄道車両Ｔが衝突する被害を抑えることができる。
【００３６】
また、上記した実施形態では、レールＲから進行方向の右側に脱線した鉄道車両Ｔを復線させる場合を例に説明したが、レールＲから進行方向の左側に脱線した鉄道車両Ｔを復線させる場合も同様に、その鉄道車両Ｔを好適にレールＲに復線させることができる。
【００３７】
なお、以上の実施の形態においては、軌間外側スロープ板１０、軌間内側スロープ板２０、誘導部材５０における所定の高さ未満の部分は鋼材を用いて形成されており、所定の高さ以上の部分はコンクリートを用いて形成されているとしたが、本発明はこれに限定されるものではなく、軌間外側スロープ板１０、軌間内側スロープ板２０、誘導部材５０が鋼材のみで形成されていても、コンクリートのみで形成されていてもよい。
【００３８】
また、その他、具体的な細部構造等についても適宜に変更可能であることは勿論である。
【符号の説明】
【００３９】
１０    軌間外側スロープ板
１０ａ  上端部
１０ｂ  下端部
２０    軌間内側スロープ板
２０ａ  上端部
２０ｂ  下端部
３０    軌間外側踏面板
４０    軌間内側踏面板
５０    誘導部材
６０    樹脂層
１００  鉄道車両復線装置
Ｔ      鉄道車両
Ｗ      車輪
Ｒ      レール（レール対）
Ｆ      道床
【図１】
2019173420.tif 000003
【図２】
2019173420.tif 000004
【図３】
2019173420.tif 000005
【図４】
2019173420.tif 000006
【図５】
2019173420.tif 000007
【図６】
2019173420.tif 000008